(57)【要約】【課題】光アクセスライン（ＡＬＮ）の完全性を認識する方法を提供すること。【解決手段】光測定信号が測定ユニット（ＭＵ）から送信され、アクセスライン（ＡＬＮ）の端部に付加されるリフレクタ（Ｒｆｌ）の特徴であるエコーについて、反射エコーがサーチされる。本発明はさらに、光システム、ツリー型アクセスネットワーク、リフレクタ、光送受信ユニットに関する。【選択図】図１
2007043692.tif 000002
【特許請求の範囲】
【請求項１】
光アクセスライン（ＡＬＮ）の完全性を認識する方法であって、光測定信号が測定ユニット（ＭＵ）から送信され、アクセスラインの端部に付加されるリフレクタ（Ｒｆｌ）の特徴であるエコーについて、反射エコーがサーチされることを特徴とする、方法。
【請求項２】
光アクセスライン（ＡＬＮ）を監視する測定ユニット（ＭＵ）を備える光送信機（ＯＴＲＵ）と、光アクセスライン（ＡＬＮ）と、光受信機とを備える光システムであって、光アクセスライン（ＡＬＮ）の端部と光受信機との間に、特徴的な様態で光の一部を反射して光送信機（ＯＴＲＵ）に戻すリフレクタ（Ｒｆｌ）が付加され、光送信機（ＯＴＲＵ）が、測定に適した測定信号を出力する測定ユニット（ＭＵ）によって制御可能であり、測定ユニット（ＭＵ）が、一方では光送信機（ＯＴＲＵ、ＬＤ）を制御し、他方ではアクセスライン（ＡＬＮ）の端部に付加されたリフレクタ（Ｒｆｌ）の特徴である一部分について反射光をテストするように設計されることを特徴とする、光システム。
【請求項３】
分岐していない端部に光送信機（ＯＴＲＵ）を備え、分岐している端部に複数の光受信機を備えるツリー型アクセスネットワーク（ＡＬＮ）であって、測定ユニット（ＭＵ）が光送信機（ＯＴＲＵ）に割り当てられ、ツリー型アクセスネットワーク（ＡＬＮ）の少なくとも一端とそれに接続されている複数の光受信機の中の１つの光受信機との間に、この目的のために特徴的な様態で反射するリフレクタ（Ｒｆｌ）が付加され、測定ユニット（ＭＵ）が、一方では光送信機（ＯＴＲＵ、ＬＤ）を制御し、他方ではアクセスネットワーク（ＡＬＮ）の任意の端部に付加されたリフレクタ（Ｒｆｌ）のいずれかの特徴である一部分について反射光をテストするように設計されることを特徴とする、ツリー型アクセスネットワーク。
【請求項４】
光送信機（ＯＴＲＵ）用の測定ユニット（ＭＵ）であって、一方では光送信機（ＯＴＲＵ、ＬＤ）を制御するように設計され、他方では光送信機（ＯＴＲＵ、ＬＤ）から発せられるアクセスラインまたはアクセスネットワーク（ＡＬＮ）から反射して戻される光を、それぞれアクセスラインまたはアクセスネットワーク（ＡＬＮ）の他端に付加されたリフレクタ（Ｒｆｌ）の特徴である一部分についてテストするように設計されることを特徴とする、測定ユニット（ＭＵ）。
【請求項５】
光送信機（ＯＴＲＵ）と、光アクセスラインまたはアクセスネットワーク（ＡＬＮ）と、光受信機とを含む光システム用リフレクタ（Ｒｆｌ）であって、リフレクタを通過する光ラインを含み、光ラインの一端に入る光の一部分を抽出する光カプラを含み、特徴的な様態でラインの抽出された一部分にサインするシグネチャ手段（ＭＺＲ）を含み、光の抽出されたシグネチャ付きの一部分が同じ端部で再度光ラインを離れるように、それを光ラインに挿入する光カプラを含むことを特徴とする、光システム用リフレクタ（Ｒｆｌ）。
【請求項６】
光アクセスラインまたはツリー型光アクセスネットワーク（ＡＬＮ）を介してさらに光送受信ユニットを接続する光送受信ユニット（ＯＴＲＵ）であって、測定ユニット（ＭＵ）が、一方では光送受信ユニット（ＯＴＲＵ、ＬＤ）の送信部分を制御するように設計され、他方ではアクセスラインまたはアクセスネットワーク（ＡＬＮ）の他端に付加されたリフレクタ（Ｒｆｌ）の特徴である一部分について反射して戻される光をテストするように設計されている光送受信ユニット（ＯＴＲＵ）に割り当てられることを特徴とする、光送受信ユニット（ＯＴＲＵ）。
【請求項７】
波長に応じて入ってくる光を阻止するシグネチャ手段としてマッハ−ツェンダー装置（ＭＺＲ）を含むことを特徴とする、請求項５に記載のリフレクタ。
【請求項８】
測定ユニットが、波長に応じて入ってくる光を阻止するマッハ−ツェンダー装置（ＭＺＭ）装置を含み、光波長を周期的にスイープ（ＳＧ）するように光送信機（ＯＴＲＵ、ＬＤ）を制御するようにさらに設計され、光送信機によって出力される光の一部をマッハ−ツェンダー装置（ＭＺＭ）に供給し、マッハ−ツェンダー装置（ＭＺＭ）から来る光を、アクセスラインまたはアクセスネットワーク（ＡＬＮ）から反射される光と比較することを特徴とする、認識されるべきリフレクタが請求項７に従って構築されているときの、請求項４に記載の測定ユニット。
【請求項９】
比較されるべき光度を電気信号に変換する光電子変換器（ＰＤ１、ＰＤ２）を含み、ミキサー（ＭＸ）がこれらの信号を混合することが予測され、周波数の異なる混合物を濾過して除去する低域フィルタ（ＬＰ）が含まれ、混合物を所与の値と比較する比較器が含まれることを特徴とする、請求項８に記載の測定ユニット。
【発明の詳細な説明】
【技術分野】
【０００１】
本発明は、請求項１のプリアンブルによる光アクセスライン、請求項２のプリアンブルによる光システム、請求項３のプリアンブルによるツリー型アクセスネットワーク、請求項４のプリアンブルによる測定ユニット、請求項５のプリアンブルによるリフレクタ、および請求項６のプリアンブルによる光送受信ユニットの完全性を認識する方法に関する。
【背景技術】
【０００２】
光アクセスの発展における現在の世界中の傾向を見ると、アクセスエリアにおけるファイバネットワークの開発が約５〜１０年にわたってかなり増加し、加入者が世界中で１億人以上に到達することが予想される。主な顧客ベースは、ますます住宅およびＭＤＵ（集合住宅）で構成されるようになるであろう。しかし、ＳＭＥ、銀行、保険業、および他の上位の顧客も、ファイバによってアクセスネットワークに接続される。近い将来、一般の光ネットワーク技術は、趣が異なるＰＯＮ（受動光ネットワーク）、様々なビットレートで動作するポイントツーポイント光Ｅｔｈｅｒｎｅｔおよび光チャネルリンク、およびＳＯＮＥＴ／ＳＤＨリンクに基づく。既存のプロトコル（ＧＰＯＮなど）の一部は、おそらく、より高いビットレート、より多くの加入者、およびより長いリンク長をサポートし、ＷＤＭ技術を適用するために強化される。ＦＴＴｘの商業的成功は、光アクセスシステムのコスト削減に基づく。光学部品分野におけるコスト削減に加えて、それ以上のコスト削減のためのその他の主な鍵は、サービス提供およびサービス保証プロセスにある。これらのプロセスは、伝統的な電話網および電話サービスによってエンドカスタマが慣れているようなものと同じユービキタスの可用性および同じ高信頼性を確保する必要があるため、費用がかかり、実施するのが難しい。
【発明の開示】
【発明が解決しようとする課題】
【０００３】
オペレータが光ネットワーク終端装置（ｏｐｔｉｃａｌ  ｎｅｔｗｏｒｋ  ｔｅｒｍｉｎａｔｉｏｎ：ＯＮＴ）をファイバリンクから分離する前提条件として、オペレータは、顧客の敷地内に至るまでファイバリンクの完全性をチェックすることができなければならない。ファイバがファイバ端部の近くのドロップセクションにおいて断線した場合、潜在的に接続されているＯＮＴとファイバ端部との区別を可能にするには、光伝送路終端装置（ｏｐｔｉｃａｌ  ｌｉｎｅ  ｔｅｒｍｉｎａｔｉｏｎ：ＯＬＴ）に組み込まれた光時間領域反射測定（ｏｐｔｉｃａｌ  ｔｉｍｅ  ｄｏｍａｉｎ  ｒｅｆｌｅｃｔｏｍｅｔｒｙ：ＯＴＤＲ）では、空間分解能が制限されているので、十分ではない。
【０００４】
代わりに、ＯＬＴ側から簡単な完全性チェックが実行されなければならない。
【課題を解決するための手段】
【０００５】
この問題は、請求項１の教示による方法、請求項２の教示による光システム、請求項３の教示によるツリー型アクセスネットワーク、請求項４の教示による測定ユニット、請求項５の教示によるリフレクタ、および請求項６の教示による光送受信ユニットによって解決される。
【０００６】
完全性チェックユニット（ＩＣＵ）、顧客の敷地への配線引き込み位置（ｅｎｔｒａｎｃｅ  ｐｏｉｎｔ）に設置されている受動光回路（ｐａｓｓｉｖｅ  ｏｐｔｉｃａｌ  ｃｉｒｃｕｉｔ）は、ＯＬＴから遠く離れて問い合わせされる場合がある。このＩＣＵが予想されたシグネチャを戻す場合は、顧客側の責任分界点（ｃｕｓｔｏｍｅｒ  ｄｅｍａｒｃａｔｉｏｎ  ｐｏｉｎｔ：ＣＤＰ）までのケーブル布線が適切に動作する。
【０００７】
本発明のこれ以上の実施形態は、従属請求項および以下の説明に記載される。
【発明を実施するための最良の形態】
【０００８】
図１は、光送受信ユニットＯＴＲＵ、測定ユニットＭＵ、アクセスラインまたはアクセスネットワークＡＬＮ、およびリフレクタＲｆｌを示している。リフレクタＲｆｌの右側にある光受信機は、図１には示されていない。
【０００９】
光送受信ユニットＯＴＲＵのうち、レーザーダイオードＬＤのみが示されている。
【００１０】
測定ユニットＭＵは、のこぎり波発生器ＳＧ、第１の光カプラＯＣＭ、第１のマッハ−ツェンダー装置ＭＺＭ、２つの光ダイオードＰＤ１およびＰＤ２、ミキサーＭＸ、および低域フィルタＬＰを含む。
【００１１】
アクセスラインまたはアクセスネットワークＡＬＮは、光ファイバのコイルとして図式的に示されている。
【００１２】
リフレクタＲｆｌは、第２および第３の光カプラＯＣＲ１およびＯＣＲ２、および第２のマッハ−ツェンダー装置ＭＺＲを示している。
【００１３】
光送受信ユニットＯＴＲＵのレーザーダイオードＬＤから入ってくる光は、第１の光カプラＯＣＭ、アクセスラインまたはアクセスネットワークＡＬＮ、および第２および第３の光カプラＯＣＲ１およびＯＣＲ２を通過する。これは、通常動作および測定モードの両方で起こる。通常動作では、のこぎり波発生器ＳＧは稼動していない。そのときに発せられた光は、動作波長を有する。光カプラＯＣＭ、ＯＣＲ１、およびＯＣＲ２は、伝送損失が少なくなるように設計されている。
【００１４】
リフレクタＲｆｌの使用の背景にある考えは、偶然または偶発的には起こり得ない状態を作り出すことである。こうした状態は、例えば、レーザーダイオードを回転することによって到達し得る波長域からのたった１つの波長の反射、または逆に１つの波長をのぞいてすべての波長の反射とすることができる。
【００１５】
この目的のために、この例では、光のわずかな部分が第２の光カプラＯＣＲ１による結合で放出され、第２のマッハ−ツェンダー装置ＭＺＲを通り、第３の光カプラＯＣＲ２を通って光送受信ユニットＯＴＲＵの方向に戻る。同様に、この例で、光のわずかな部分が第３の光カプラＯＣＲ２による結合で放出され、第２のマッハ−ツェンダー装置ＭＺＲを反対方向に通り、第２の光カプラＯＣＲ１を通って光送受信ユニットＯＴＲＵの方向に戻る。
【００１６】
マッハ−ツェンダー装置ＭＺＲは、通常の様態で、２つの光カプラと、その２つのカプラの間の接続の一方に遅延素子とを備えて構築されている。所与の例では、遅延素子は、１ＧＨｚの周期的なフィルタ伝送をもたらす１８０ミリメータの光デルタを有していなければならない。考慮される波長範囲にわたってスイープされる入力信号は、スイープ周波数（ｓｗｅｅｐｉｎｇ  ｆｒｅｑｕｅｎｃｙ）に応じて、いずれかの出力に正弦形の挙動の出力信号をもたらす。
【００１７】
ここまでに記載された例において、レーザーダイオードの波長が例えば１０ｋＨｚのスイープ周波数ののこぎり波発生器ＳＧによって４０ＧＨｚの範囲にわたって周期的にデチューン（ｄｅｔｕｎｅ）された場合、リフレクタＲｆｌは、１／１０ｍｓの１スイープ内に４０／１．１波の光の振幅変調をもたらす。これは、３６３ＫＨｚの周波数である。これは、一般的なシグネチャと考えることができる。
【００１８】
反射されて戻され、部分的にほんのわずかな量だけ第１の光カプラＯＣＭによる結合で放出されたこうしたシグネチャ付きの光は、今や３６３ｋＨｚの周波数のこうした信号を含むかどうかに関して検討することができるようになった。この目的のために、こうした光は、第１の光ダイオードＰＤ１によって電気信号に変換される。
【００１９】
第１の光ダイオードＰＤ１の出力での信号は、３つの光カプラを次から次へと通過し、そのたびにほんの少しの程度になるため、非常に弱い。そのため、検出は容易ではない。
【００２０】
唯一のリフレクタを備える単一の光ラインだけではなく、それぞれの端部にたくさんのリフレクタを備えるツリー型光アクセスネットワークがあるとき、検出はさらに難しくなる。この場合、各リフレクタは、わずかに異なる特徴を有するはずである。マッハ−ツェンダー装置を使用する場合、すべての遅延ラインがわずかに異なる長さのものであるはずである。これは、光ダイオードＰＤ１の出力の信号が、周波数が他とそれぞれわずかに異なるいくつかの正弦波信号の混合物を含むことを意味する。
【００２１】
この問題の１つの解決手段は、こうした信号を、同じのこぎり波に基づいてもう一方の正弦波信号と混合することである。示された例において、信号は、１ＧＨｚの周期のマッハ−ツェンダー装置に基づいて使用される。この第１のマッハ−ツェンダー装置ＭＺＭから出力され、電気信号に変換された信号は、上記の例と同様に周波数４００ｋＨｚを有する。ミキサーＭＸの出力の信号は、異なる周波数信号として、この例では、低域フィルタＬＰによってフィルタリングされる周波数３７ｋＨｚの信号を含む。ツリー型アクセスネットワークの端部に複数のリフレクタがある場合、検出されるべき類似の周波数が対応する数だけある。
【００２２】
したがって、どんなシグネチャのフィルタリングでも、当分野でよく知られている問題となる。
【図面の簡単な説明】
【００２３】
【図１】本発明による方法を実行することができる本発明による光システムの一部を示す図である。この図は、本発明による測定ユニット、本発明によるリフレクタ、および本発明による光送受信ユニットを含む。
【符号の説明】
【００２４】
ＯＴＲＵ  光送受信ユニット
ＭＵ  測定ユニット
ＡＬＮ  アクセスラインまたはアクセスネットワーク
Ｒｆｌ  リフレクタ
ＬＤ  レーザーダイオード
ＳＧ  のこぎり波発生器
ＯＣＭ  第１の光カプラ
ＯＣＲ  第２、第３の光カプラ
ＭＺＭ  第１のマッハ−ツェンダー装置
ＭＺＲ  第２のマッハ−ツェンダー装置
ＰＤ１、ＰＤ２  光ダイオード
ＭＸ  ミキサー
ＬＰ  低域フィルタ
【図１】
2007043692.tif 000003
【外国語明細書】
2007043692.tif 000004
2007043692.tif 000005
2007043692.tif 000006
2007043692.tif 000007
2007043692.tif 000008
2007043692.tif 000009
2007043692.tif 000010
2007043692.tif 000011
2007043692.tif 000012
2007043692.tif 000013
2007043692.tif 000014
2007043692.tif 000015